(57)【要約】【課題】地震等による振動を受けた場合にも固定部の破壊を防止し、キャビネット全体の耐震強度を高めた電気電子機器用フレーム式キャビネットを提供する。【解決手段】縦フレーム１と横フレーム２と奥行きフレーム３との各端面をコーナー部材４に当接させねじ止めしたフレーム式キャビネットであり、キャビネット底面を構成する横フレーム２または奥行きフレーム３と平行な底フレーム７を縦フレーム１の近傍のキャビネット内面に設け、底フレーム７をコーナー部材４のアンカー取付部５と重ねてアンカーボルトで固定した。地震による地面や床面などの設置面の動きを底フレーム７の全体で受けることができ、耐震性を向上させることができる。【選択図】図３
2010267843.tif 000002
【特許請求の範囲】
【請求項１】
縦フレームと横フレームと奥行きフレームとの各端面をコーナー部材に当接させてねじ止めした電気電子機器用フレーム式キャビネットであって、キャビネット底面を構成する横フレームまたは奥行きフレームと平行な底フレームを縦フレーム近傍のキャビネット内面に設け、該底フレームをキャビネット底面のコーナー部材のアンカー取付部と重ねて固定したことを特徴とする電気電子機器用フレーム式キャビネット。
【請求項２】
コーナー部材を鋳造されたブロックとし、また底フレームを鋼鉄製として横フレームと奥行きフレームとに固定し、コーナー部材のアンカー取付部をその上面に当接させたことを特徴とする請求項１記載の電気電子機器用フレーム式キャビネット。
【請求項３】
底フレームがアンカーボルト挿通孔を備え、このアンカーボルト挿通孔をコーナー部材のアンカー固定用孔と一致させたことを特徴とする請求項２記載の電気電子機器用フレーム式キャビネット。
【請求項４】
キャビネット内部に配置されるマウントレールの下端部を、コーナー部材の近傍の底フレーム上に固定したことを特徴とする請求項２記載の電気電子機器用フレーム式キャビネット。
【発明の詳細な説明】
【技術分野】
【０００１】
本発明は、縦フレームと横フレームと奥行きフレームとを直方体状に組み合わせた電気電子機器収納用フレーム式キャビネットに関するものである。
【背景技術】
【０００２】
電気電子機器収納用箱体として用いられるキャビネットとしては、特許文献１に示すように、縦フレームと横フレームと奥行きフレームとを直方体状に組み合わせて骨格を形成した構造が一般的である。このような構造のキャビネットは電気電子機器収納用フレーム式キャビネットと呼ばれている。
【０００３】
しかし耐震性等を考慮してキャビネット全体の強度を向上させるためには、このような従来構造では十分ではなかった。すなわち、キャビネットは底面のコーナー部をアンカーボルト等により固定して床面に設置されるのが普通であるため、地震等による振動を受けて全体が揺すられた場合には、アンカーボルト付近の取付基部に最大荷重が作用し、固定部が破壊されるおそれがあった。もしこのような事態に至るとキャビネット全体が倒壊する可能性がある。
【先行技術文献】
【特許文献】
【０００４】
【特許文献１】特開平５−２７６６１３号公報
【発明の概要】
【発明が解決しようとする課題】
【０００５】
本発明は上記した従来の問題点を解決し、地震等による振動を受けた場合にも固定部の破壊を防止し、キャビネット全体の耐震強度を高めたフレーム式キャビネットを提供することを目的とするものである。
【課題を解決するための手段】
【０００６】
上記の課題を解決するためになされた本発明は、縦フレームと横フレームと奥行きフレームとの各端面をコーナー部材に当接させねじ止めしたフレーム式キャビネットであって、キャビネット底面を構成する横フレームまたは奥行きフレームと平行な底フレームを縦フレーム近傍のキャビネット内面に設け、該底フレームをキャビネット底面のコーナー部材のアンカー取付部と重ねて固定したことを特徴とするものである。
【０００７】
請求項２のように、コーナー部材を鋳造されたブロックとし、また底フレームを鋼鉄製として横フレームと奥行きフレームとに固定し、コーナー部材のアンカー取付部をその上面に当接させることが好ましい。
【０００８】
また請求項３のように、底フレームがアンカーボルト挿通孔を備え、このアンカーボルト挿通孔をコーナー部材のアンカー固定用孔と一致させた構造とすることが好ましい。
【０００９】
また請求項４のように、キャビネット内部に配置されるマウントレールの下端部を、コーナー部材の近傍の底フレーム上に固定することが好ましい。
【発明の効果】
【００１０】
本発明のフレーム式キャビネットは、底フレームを縦フレーム近傍のキャビネット内面に設け、該底フレームをキャビネット底面のコーナー部材のアンカー取付部と重ねて固定したものであるから、地震による地面や床面などの設置面の動きを底フレーム全体で受けることができる。このため従来のようにコーナー部材と横フレーム・奥行フレームとの接合箇所に荷重が集中することがなくなり、耐震性を向上させることができる。
【００１１】
請求項２のように、コーナー部材を鋳造されたブロックとすれば強固に固定することができ、かつ底フレームを鋼鉄製として横フレームと奥行きフレームとに固定すれば、フレーム部材をアルミニウム等からなるものとした場合にも、鋼鉄の有する靭性（ねばり）によって耐震性を高めることができる。
【００１２】
請求項３のように、底フレームのアンカーボルト挿通孔をコーナー部材のアンカー固定用孔と一致させて固定すれば、底フレームとコーナー部材とをアンカーボルトにより共締めすることができるので、強固な固定が可能である。
【００１３】
請求項４のように、マウントレールの下端部をコーナー部材の近傍の底フレーム上に固定すれば、マウントレールの荷重を底フレーム全体で受けることができる。
【図面の簡単な説明】
【００１４】
【図１】本発明の実施形態を示すキャビネットの全体斜視図である。
【図２】キャビネット底部の斜視図である。
【図３】図２の部分拡大図である。
【図４】図２の部分拡大図である。
【図５】マウントレールの取り付け構造を示す斜視図である。
【図６】図５の部分拡大図である。
【発明を実施するための形態】
【００１５】
以下に本発明の実施形態を説明する。
図１に示すように、本発明の電気電子機器収納用フレーム式キャビネットは、４本の縦フレーム１と４本の横フレーム２と４本の奥行フレーム３とを直方体状に組み合わせ、キャビネットの骨格を形成したものである。この実施形態では各フレームを構成するフレーム部材はアルミニウムの押し出し材である。各フレームの端部はコーナー部材４に当接され、コーナー部材４側からねじ止め固定されている。
【００１６】
コーナー部材４は鋳造されたブロック状のものであり、縦フレーム１と横フレーム２と奥行フレーム３との各端面が当接される面を３方に備えている。また図３と図４に示すように、下部のコーナー部材４は平板状のアンカー取付部５を下部側方に一体に備えている。このアンカー取付部５はキャビネットの内部に位置するもので、アンカー固定用孔６が形成されている。
【００１７】
このような下部のコーナー部材４と、横フレーム２および奥行フレーム３とによってキャビネットの底面が形成されているが、本発明ではさらに底フレーム７を縦フレーム１の近傍のキャビネット内面に設けてある。底フレーム７はほぼ平板状のもので好ましくは鋼板を折り曲げ成形したものである。底フレーム７をねばりのある鋼鉄製としておけば、フレーム部材をアルミニウム製とした場合にも耐震性を高めることができる。底フレーム７は横フレーム２または奥行きフレーム３と平行に配置され、各部がこれらの横フレーム２と奥行きフレーム３に固定されている。この実施形態では奥行きフレーム３と平行であるが横フレーム２と平行であってもよい。
【００１８】
図３と図４に示すように、底フレーム７はキャビネット底面のコーナー部材４のアンカー取付部５と重ねられている。この実施形態では底フレーム７上にアンカー取付部５が位置しているが、底フレーム７をコーナー部材４の上側に配置してもよい。図示されていないが、底フレーム７にはアンカー固定用孔６と一致する位置にアンカーボルト挿通孔が形成されており、コーナー部材４のアンカー取付部５と底フレーム７とはアンカーボルトにより一体に床面等に固定される。
【００１９】
このように底フレーム７をコーナー部材４のアンカー取付部５と重ねてアンカーボルトにより共締めすれば、地震による地面や床面などの設置面の動きを底フレーム７の全体で受けることができる。このため従来のようにコーナー部材４と横フレーム２・奥行フレーム３との接合箇所に荷重が集中することがなくなり、耐震性を向上させることができる。特に底フレーム７の上面にコーナー部材４のアンカー取付部５を重ねるように構成したものでは、アンカー取付部５の面全体で底フレームを押さえ付けることとなり、より耐震性が向上するものである。
【００２０】
図５と図６は、マウントレール９の下端部をコーナー部材の近傍の底フレーム７上に固定した様子を示す図である。前記した特許文献１に示されるように、キャビネットの内部に４本のマウントレール９を立設して機器を取り付けるようにすれば、キャビネットが二重構造となって耐震性が向上する。これらのマウントレール９の下端部を上記した底フレーム７上に固定すれば、マウントレール９の荷重を底フレーム７の全体で分散支持することができる。このためキャビネット全体の耐震性を更に向上させることが可能となる。
【００２１】
なおこの実施形態ではマウントレール９の下端部にマウントレール支持金具１０を設置し、底フレーム７と奥行きフレーム３とにねじで固定しているが、固定方法は特に限定されるものではない。また図示されていないが、マウントレール９の上端部も同様にコーナー金具に固定すればよい。
【符号の説明】
【００２２】
１  縦フレーム
２  横フレーム
３  奥行フレーム
４  コーナー部材
５  アンカー取付部
６  アンカー固定用孔
７  底フレーム
８  防振ゴム
９  マウントレール
１０  マウントレール支持金具
【図１】
2010267843.tif 000003
【図２】
2010267843.tif 000004
【図３】
2010267843.tif 000005
【図４】
2010267843.tif 000006
【図５】
2010267843.tif 000007
【図６】
2010267843.tif 000008